(57)【要約】【課題】本考案は、付箋を組み合わせた筆記具を提供することにある。【解決手段】本考案に係る付箋付き筆記具１０は、ボールペンの芯２０と握り部３０とから構成され、握り部３０は握りやすい形態をなし、付箋３１と厚紙３６とから構成され、付箋３１は再接着可能な用紙３２を１枚ずつ剥離可能に接着したものであり、厚紙３６は、前記付箋３１の形状と同一の形状をなし、２枚の厚みのある用紙３７ａ、３７ｂを接着したものであり、２枚の用紙３７ａ、３７ｂの隙間にボールペンの芯２０の軸芯２１が挟み込まれるようにして挿入して取着されている。【選択図】　　　　図１
0003098475.tif 000002
【実用新案登録請求の範囲】
【請求項１】
棒状筆記具の軸芯に握り部を取着した筆記具であって、該握り部に付箋が備えられ、該付箋は同一形状の複数枚の用紙を束ねてその一端を１枚ずつ剥離可能に接着して構成されていることを特徴とする付箋付き筆記具。
【請求項２】
付箋を構成する複数枚の用紙として再接着可能な用紙を採用したことを特徴とする請求項１に記載の付箋付き筆記具。
【請求項３】
握り部を、付箋と同一形状の厚紙と付箋とを重ね合わせて接着した構成とし、該厚紙に棒状筆記具の軸芯を取着して構成したことを特徴とする請求項１又は２に記載の付箋付き筆記具。
【考案の詳細な説明】
【０００１】
【考案の属する技術分野】
本考案は、筆記具に関し、特に筆記具の握り部に付箋を組み合わせて構成した付箋付き筆記具に関する。
【０００２】
【従来の技術及び考案が解決しようとする課題】
日常生活において、付箋あるいはメモ用紙と筆記具とを身近に用意して、いつでもメモがとれる体勢にしているのが常であるが、往々にして、いざメモをとろうとするとき、筆記具はあるけれどもメモ用紙が見当たらなかったり、また、その逆にメモ用紙はあるけれども筆記具がなかったりして不便を感じることがある。
【０００３】
そこで、本考案者は、このような不便さを解消するため、付箋を組み合わせた筆記具を考案した。
【０００４】
【課題を解決するための手段】
本考案に係る付箋付き筆記具は、棒状筆記具の軸芯に握り部を取着した筆記具であって、該握り部に付箋が備えられ、該付箋は同一形状の複数枚の用紙を束ねてその一端を１枚ずつ剥離可能に接着して構成されていることを特徴とするものである。
【０００５】
上記のように構成したため、当該付箋付き筆記具の付箋から必要枚数の用紙を剥ぎ取るだけでメモ用紙が準備でき、当該付箋付き筆記具における棒状筆記具を使用して、メモ用紙にメモをとることができる。
【０００６】
また、付箋を構成する複数枚の用紙として再接着可能な用紙を採用した場合は、当該用紙を剥ぎ取ってメモを記入した後、当該筆記具に再接着したり、また、適所に接着できる。
【０００７】
さらに、前記握り部を、付箋と同一形状の厚紙と付箋とを重ね合わせて接着した構成とし、該厚紙に棒状筆記具の軸芯を取着して構成した場合は、握り部に剛性が付与されると共に、棒状筆記具の軸芯が安定して握り部に取着できる。
【０００８】
【考案の実施の形態】
以下、本考案に係る付箋付き筆記具の実施例を添付の図面に基づいて詳細に説明する。
【０００９】
図１は付箋付き筆記具の全体斜視図であり、図２は付箋付き筆記具の分解斜視図である。
【００１０】
図において、１０は付箋付き筆記具であって、棒状筆記具２０と握り部３０とから構成されている。
【００１１】
棒状筆記具２０としては、ボールペンの場合は本実施例のようにボールペンの芯のみを使用してもよく、また、ボールペンそのものを使用してもよい。また、鉛筆を使用する場合も、鉛筆そのものを使用してもよく、また、鉛筆の芯のみを使用してもよい。さらに、フェルトペンやクレヨンなどを使用してもよい。要するに棒状の筆記具であれば使用可能である。
【００１２】
握り部３０は、本実施例に示すように湾曲した形状であって適所に凹部を形成した握りやすい形態をなしている。図３は握り部の形状の変更例を示す斜視図である。該握り部３０は、付箋３１と厚紙３６とから構成されている。付箋３１は、同一形状の複数枚の用紙３２を束ねてその一端３３を１枚ずつ剥離可能に接着したものであり、付箋３１を構成する複数枚の用紙３２は再接着可能なものである。このように構成すると、必要に応じて付箋３１を構成する用紙３２を必要な枚数だけいつでも剥ぎ取って使用することができる。なお、本実施例においては、付箋３１を構成する複数枚の用紙３２として再接着可能な用紙を採用しているが、これに限られるものではない。
【００１３】
厚紙３６は、前記付箋３１の形状と同一の形状をなしており、付箋３１に重ね合わせて接着することにより握り部３０が構成されている。この厚紙３６は、２枚の厚みのある用紙３７ａ、３７ｂを積層し、かつ、両者を接着して構成され、この厚紙３６の先端部３８において、２枚の用紙３７ａ、３７ｂの隙間に棒状筆記具、すなわちボールペンの芯２０の軸芯２１を挟み込むようにして挿入することにより、棒状筆記具であるボールペンの芯２０が握り部３０に取着される。このように構成すると、握り部３０を握ってボールペンの芯２０により文字を書くことが可能となる。なお、厚紙３６を使用せず、付箋３１のみで握り部を構成し、付箋３１にボールペンの芯２０を取着することにより、該握り部を握ってボールペンの芯２０により筆記できるように構成してもよい。
【００１４】
本実施例における付箋付き筆記具１０は、上記のようにメモをとるための付箋３１と筆記をするためのボールペンの芯２０が一体に組み合わされて構成されているため、この付箋付き筆記具１０を外出時に携帯したり、または、机やテーブルあるいは電話のそばなどの手近においておけば、メモをとる際に、当該付箋付き筆記具１０の付箋３１から必要枚数の用紙３２を剥ぎ取るだけでいつでもメモ用紙が準備でき、また、当該付箋付き筆記具１０における棒状筆記具であるボールペンの芯２０を使用して、メモ用紙にメモをとることができる。
【００１５】
また、付箋３１を構成する複数枚の用紙３２として再接着可能な用紙３２を採用しているので、当該用紙３２を剥ぎ取ってメモを記入した後、当該筆記具１０に再接着したり、また、適所に接着できるので便利である。
【００１６】
さらに、前記握り部３０を、付箋２１と同一形状の厚紙３６と付箋２１とを重ね合わせて接着した構成とし、該厚紙３６に棒状筆記具であるボールペンの芯２０の軸芯２１を取着して構成しているため、握り部３０に剛性が付与されると共に、ボールペンの芯２０の軸芯２１を安定して握り部３０に取着できるので便利であり、かつ、付箋３１を構成する用紙３２の枚数が減少しても、握り部３０としての剛性が維持できて使用しやすい利点がある。
【００１７】
【考案の効果】
本考案に係る付箋付き筆記具は、棒状筆記具の軸芯に握り部を取着した筆記具であって、該握り部に付箋が備えられ、該付箋は同一形状の複数枚の用紙を束ねてその一端を１枚ずつ剥離可能に接着して構成したため、この付箋付き筆記具を携帯するか、または、手近においておけば、メモをとる際に、当該付箋付き筆記具の付箋から必要枚数の用紙を剥ぎ取るだけでいつでもメモ用紙が準備でき、当該付箋付き筆記具における棒状筆記具を使用して、メモ用紙にメモをとることができる利点がある。
【００１８】
また、付箋を構成する複数枚の用紙として再接着可能な用紙を採用した場合は、当該用紙を剥ぎ取ってメモを記入した後、当該筆記具に再接着したり、また、適所に接着できて便利である。
【００１９】
さらに、前記握り部を、付箋と同一形状の厚紙と付箋とを重ね合わせて接着した構成とし、該厚紙に棒状筆記具の軸芯を取着して構成した場合は、握り部に剛性が付与されると共に、棒状筆記具の軸芯を安定して握り部に取着できて便利であり、かつ、付箋を構成する用紙の枚数が減少しても、握り部としての剛性を維持できるので使用しやすい利点がある。
【図面の簡単な説明】
【図１】本発明の実施例に係る付箋付き筆記具の全体斜視図である。
【図２】本発明の実施例に係る付箋付き筆記具の分解斜視図である。
【図３】本発明の実施例に係る付箋付き筆記具の握り部の形状の変更例を示す斜視図である。
【符号の説明】
１０・・付箋付き筆記具
２０・・棒状筆記具（ボールペンの芯）
２１・・軸芯
３０・・握り部
３１・・付箋
３２・・用紙
３３・・付箋の一端
３６・・厚紙
３７ａ・厚みのある用紙
３７ｂ・厚みのある用紙
３８・・厚紙の先端部
【図１】
0003098475.tif 000003
【図２】
0003098475.tif 000004
【図３】
0003098475.tif 000005